(57)【要約】ファインダー内の表示の視認性を良好に維持できる撮像装置、撮像装置のファインダー内表示制御方法、撮像装置のファインダー内表示制御プログラム、及び、ビューファインダーを提供する。ビューファインダー（３０）は、観察光学系（３２）と、ファインダーＬＣＤ（３６）と、観察光学系（３２）で観察される被写体の光学像にファインダーＬＣＤ（３６）の表示を重畳させるビームスプリッター（３４）と、ビームスプリッター（３４）に入射する被写体の光学像の光量を調整する電子的可変ＮＤフィルター（４０）と、電子的可変ＮＤフィルター（４０）の透過率が切り替えられた場合に、経時的に変化してゆく電子的可変ＮＤフィルター（４０）の透過率を計測する透過率計測部（９０）と、透過率計測部（９０）の計測結果に基づいて、表示デバイスの光量をリアルタイムに制御するファインダーＬＣＤ表示制御部（１１０ｂ）と、を備える。ファインダーＬＣＤ表示制御部（１１０ｂ）は、観察光学系（３２）で観察される被写体の光学像と、その光学像に重畳されるファインダーＬＣＤ（３６）の表示との光量比が一定に維持されるように、ファインダーＬＣＤ（３６）の光量を制御する。
2019087929.tif 000002
【特許請求の範囲】
【請求項１】
被写体の光学像を観察する光学ファインダーと、
表示デバイスと、
前記光学ファインダーの光路中に配置され、前記光学ファインダーで観察される前記被写体の前記光学像に前記表示デバイスの表示を重畳させる重畳光学素子と、
前記光学ファインダーの光路中に配置され、前記重畳光学素子に入射する前記被写体の前記光学像の光量を調整する電子的可変ＮＤフィルターと、
前記電子的可変ＮＤフィルターの透過率が切り替えられた場合に、経時的に変化してゆく前記電子的可変ＮＤフィルターの透過率を計測する透過率計測部と、
前記透過率計測部の計測結果に基づいて、前記表示デバイスの光量を制御し、前記光学ファインダーで観察される前記被写体の前記光学像と、前記光学像に重畳される前記表示デバイスの表示との光量比を一定に維持する表示デバイス光量制御部と、
を備えた撮像装置。
【請求項２】
前記透過率計測部は、温度を計測する温度計測部と、前記電子的可変ＮＤフィルターの透過率が切り替えられてからの経過時間を計測する計時部と、を含み、前記温度計測部で計測される温度の情報と、前記計時部で計測される経過時間の情報とに基づいて、前記電子的可変ＮＤフィルターの透過率を特定する、
請求項１に記載の撮像装置。
【請求項３】
前記透過率計測部は、前記電子的可変ＮＤフィルターを挟んで互いに対向して配置される投光部及び受光部を含み、前記投光部から投光される光を前記受光部で受光して、前記電子的可変ＮＤフィルターの透過率を計測する、
請求項１に記載の撮像装置。
【請求項４】
前記透過率計測部は、反射材と、前記電子的可変ＮＤフィルターを挟んで前記反射材と対向して配置される投光部及び受光部を含み、前記投光部から投光され、前記反射材で反射された光を前記受光部で受光して、前記電子的可変ＮＤフィルターの透過率を計測する、
請求項１に記載の撮像装置。
【請求項５】
前記反射材が、前記電子的可変ＮＤフィルターを保持部に備えられる、
請求項４に記載の撮像装置。
【請求項６】
前記光学ファインダーは、撮像レンズとは独立した光学系で構成され、ファインダー窓部を介して入射する被写体の光学像を接眼部から観察する、
請求項１から５のいずれか１項に記載の撮像装置。
【請求項７】
前記電子的可変ＮＤフィルターが、前記ファインダー窓部に備えられる、
請求項６に記載の撮像装置。
【請求項８】
前記電子的可変ＮＤフィルターが、エレクトロクロミック素子で構成される、
請求項１から７のいずれか１項に記載の撮像装置。
【請求項９】
外光を測光する測光部と、
前記測光部の測光結果に基づいて、前記電子的可変ＮＤフィルターの透過率を切り替える透過率切替制御部と、
を更に備えた請求項１から８のいずれか１項に記載の撮像装置。
【請求項１０】
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する電子的可変ＮＤフィルターと、を備えた撮像装置のファインダー内表示制御方法であって、
前記電子的可変ＮＤフィルターの透過率が切り替えられた場合に、経時的に変化してゆく前記電子的可変ＮＤフィルターの透過率を計測するステップと、
透過率の計測結果に基づいて、前記表示デバイスの光量を制御し、前記光学ファインダーで観察される前記被写体の前記光学像と、前記光学像に重畳される前記表示デバイスの表示との光量比を一定に維持するステップと、
を含む撮像装置のファインダー内表示制御方法。
【請求項１１】
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する電子的可変ＮＤフィルターと、を備えた撮像装置のファインダー内表示制御プログラムであって、
前記電子的可変ＮＤフィルターの透過率が切り替えられた場合に、経時的に変化してゆく前記電子的可変ＮＤフィルターの透過率の計測結果の情報を取得するステップと、
透過率の計測結果に基づいて、前記表示デバイスの光量を制御し、前記光学ファインダーで観察される前記被写体の前記光学像と、前記光学像に重畳される前記表示デバイスの表示との光量比を一定に維持する機能と、
をコンピュータに実現させる撮像装置のファインダー内表示制御プログラム。
【請求項１２】
非一時的かつコンピュータ読取可能な記録媒体であって、前記記録媒体に格納された指令がコンピュータによって読み取られた場合に、
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する電子的可変ＮＤフィルターと、を備えた撮像装置のファインダー内表示制御機能であって、
前記電子的可変ＮＤフィルターの透過率が切り替えられた場合に、経時的に変化してゆく前記電子的可変ＮＤフィルターの透過率の計測結果の情報を取得するステップと、
透過率の計測結果に基づいて、前記表示デバイスの光量を制御し、前記光学ファインダーで観察される前記被写体の前記光学像と、前記光学像に重畳される前記表示デバイスの表示との光量比を一定に維持する機能と、
を含むファインダー内表示制御機能をコンピュータに実現させる記録媒体。
【請求項１３】
ファインダー窓部を介して入射する被写体の光学像を接眼部から観察する観察光学系と、
表示デバイスと、
前記観察光学系の光路中に配置され、前記観察光学系で観察される前記被写体の前記光学像に前記表示デバイスの表示を重畳させる重畳光学素子と、
前記観察光学系の光路中に配置され、前記重畳光学素子に入射する前記被写体の前記光学像の光量を調整する電子的可変ＮＤフィルターと、
前記電子的可変ＮＤフィルターの透過率が切り替えられた場合に、経時的に変化してゆく前記電子的可変ＮＤフィルターの透過率を計測する透過率計測部と、
前記透過率計測部の計測結果に基づいて、前記表示デバイスの光量を制御し、前記観察光学系で観察される前記被写体の前記光学像と、前記光学像に重畳される前記表示デバイスの表示との光量比を一定に維持する表示デバイス光量制御部と、
を備えたビューファインダー。
【発明の詳細な説明】
【技術分野】
【０００１】
本発明は、撮像装置、撮像装置のファインダー内表示制御方法、撮像装置のファインダー内表示制御プログラム、及び、ビューファインダーに係り、特に光学ファインダーの画面上に各種情報を映し出す機能を備えた撮像装置、撮像装置のファインダー内表示制御方法、撮像装置のファインダー内表示制御プログラム、及び、ビューファインダーに関する。
【背景技術】
【０００２】
光学ファインダーの画面上に各種情報を映し出す機能を備えた撮像装置が知られている。当該機能は、表示デバイスの表示をハーフミラーで重ねて見ることで実現される。【０００３】
しかし、表示デバイスの表示をハーフミラーで重ねて見る構成の場合、周囲の環境が明るいと、表示デバイスの表示が背景に溶け込んで、視認しづらくなるという問題がある。【０００４】
この問題を解決するため、特許文献１、２には、光学ファインダー内に電子的可変ＮＤフィルター（ＮＤ： Neutral Density）を配置し、外光の明るさに応じて、電子的可変ＮＤフィルターの透過率を変化させることが提案されている。
【先行技術文献】
【特許文献】
【０００５】
【特許文献１】特開2014-48491号公報
【特許文献２】特開2003-78785号公報
【発明の概要】
【発明が解決しようとする課題】
【０００６】
しかしながら、電子的可変ＮＤフィルターは、動作速度が遅く、目標の透過率に切り替わるまでに時間を要するという欠点がある。このため、ファインダーの使用中に電子的可変ＮＤフィルターの透過率を切り替えると、一定時間、光学ファインダーの視認性が低下するという欠点がある。【０００７】
本発明は、このような事情に鑑みてなされたもので、ファインダー内の表示の視認性を良好に維持できる撮像装置、撮像装置のファインダー内表示制御方法、撮像装置のファインダー内表示制御プログラム、及び、ビューファインダーを提供することを目的とする。
【課題を解決するための手段】
【０００８】
上記課題を解決するための手段は、次のとおりである。【０００９】
（１）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する電子的可変ＮＤフィルターと、電子的可変ＮＤフィルターの透過率が切り替えられた場合に、経時的に変化してゆく電子的可変ＮＤフィルターの透過率を計測する透過率計測部と、透過率計測部の計測結果に基づいて、表示デバイスの光量を制御し、光学ファインダーで観察される被写体の光学像と、光学像に重畳される表示デバイスの表示との光量比を一定に維持する表示デバイス光量制御部と、を備えた撮像装置。【００１０】
本態様によれば、光学ファインダーの光路中に電子的可変ＮＤフィルターが備えられる。電子的可変ＮＤフィルターは、透過率（濃度）を電子制御できるＮＤフィルター（Neutral Density Filter）である。電子的可変ＮＤフィルターは動作速度が遅いという特性がある。本態様では、電子的可変ＮＤフィルターの透過率が切り替えられた場合に、経時的に変化してゆく電子的可変ＮＤフィルターの透過率を透過率計測部で計測する。そして、その計測結果に基づいて、表示デバイスの光量を制御する。具体的には、光学ファインダーを介して観察される被写体の光学像と、その光学像に重畳される表示デバイスの表示との光量比が一定に維持されるように、表示デバイスの光量を制御する。これにより、電子的可変ＮＤフィルターの透過率を切り替えた場合であっても、ファインダー内の表示の視認性を良好に維持できる。なお、ここでの「一定」には、ほぼ一定と認められる範囲が含まれる。すなわち、光量比をほぼ一定に維持する場合が含まれる。ほぼ一定と認められる範囲は、視認性を損なわないと認められる範囲である。【００１１】
（２）透過率計測部は、温度を計測する温度計測部と、電子的可変ＮＤフィルターの透過率が切り替えられてからの経過時間を計測する計時部と、を含み、温度計測部で計測される温度の情報と、計時部で計測される経過時間の情報とに基づいて、電子的可変ＮＤフィルターの透過率を特定する、上記（１）の撮像装置。【００１２】
本態様によれば、温度と、透過率の切り替えが開始されてからの経過時間とに基づいて、電子的可変ＮＤフィルターの透過率が特定される。すなわち、電子的可変ＮＤフィルターの動作特性を事前に調べておき、その動作特性に基づいて、透過率を推定する。温度の情報を使用するのは、電子的可変ＮＤフィルターの動作速度が温度によって変化するためである。透過率の特定は、たとえば、テーブル又は関数を用いて行われる。【００１３】
（３）透過率計測部は、電子的可変ＮＤフィルターを挟んで互いに対向して配置される投光部及び受光部を含み、投光部から投光される光を受光部で受光して、電子的可変ＮＤフィルターの透過率を計測する、上記（１）の撮像装置。【００１４】
本態様によれば、透過率計測部が、投光部及び受光部を含んで構成される。投光部及び受光部は、電子的可変ＮＤフィルターを挟んで互いに対向して配置される。透過率計測部は、投光部から投光される光を受光部で受光して、電子的可変ＮＤフィルターの透過率を計測する。これにより、電子的可変ＮＤフィルターの透過率を実測できる。【００１５】
（４）透過率計測部は、反射材と、電子的可変ＮＤフィルターを挟んで反射材と対向して配置される投光部及び受光部を含み、投光部から投光され、反射材で反射された光を受光部で受光して、電子的可変ＮＤフィルターの透過率を計測する、上記（１）の撮像装置。【００１６】
本態様によれば、透過率計測部が、反射材、投光部及び受光部を含んで構成される。投光部及び受光部は、電子的可変ＮＤフィルターを挟んで反射材と対向して配置される。投光部から投光された光は、電子的可変ＮＤフィルターを透過して反射材で反射する。反射材で反射した光は、再度、電子的可変ＮＤフィルターを透過し、受光部で受光される。透過率計測部は、受光部での受光結果に基づいて、電子的可変ＮＤフィルターの透過率を計測する。これにより、電子的可変ＮＤフィルターの透過率を実測できる。また、透過率計測部の構成をコンパクト化できる。【００１７】
（５）反射材が、電子的可変ＮＤフィルターを保持部に備えられる、上記（４）の撮像装置。【００１８】
本態様によれば、反射材が、電子的可変ＮＤフィルターの保持部に備えられる。これにより、透過率計測部の構成を簡素化できる。【００１９】
（６）光学ファインダーは、撮像レンズとは独立した光学系で構成され、ファインダー窓部を介して入射する被写体の光学像を接眼部から観察する、上記（１）から（５）のいずれか一の撮像装置。【００２０】
本態様によれば、光学ファインダーが、撮像レンズとは独立した光学系で構成される。すなわち、レフレックスファインダー（撮像レンズを通った光をミラーで反射させて、フォーカシングスクリーン上に結像させ、そのフォーカシングスクリーン上の像を観察する方式のファインダー）ではなく、虚像又は透視実像を観察する方式のビューファインダーで構成される。ビューファインダーは、外光の影響を受けやすい。したがって、本発明をビューファインダーに適用することにより、特に有効に作用する。【００２１】
（７）電子的可変ＮＤフィルターが、ファインダー窓部に備えられる、上記（６）の撮像装置。【００２２】
本態様によれば、電子的可変ＮＤフィルターが、ビューファインダーのファインダー窓部に備えられる。これにより、光学ファインダーに入射する光の光量を適切に調整できる。【００２３】
（８）電子的可変ＮＤフィルターが、エレクトロクロミック素子で構成される、上記（１）から（７）のいずれか一の撮像装置。【００２４】
本態様によれば、電子的可変ＮＤフィルターが、エレクトロクロミック素子で構成される。エレクトロクロミック素子で構成される可変ＮＤフィルターは、特に動作速度が遅いという特性を有する。したがって、本発明を適用することにより、特に有効に作用する。【００２５】
（９）外光を測光する測光部と、測光部の測光結果に基づいて、電子的可変ＮＤフィルターの透過率を切り替える透過率切替制御部と、を更に備えた上記（１）から（８）のいずれか一の撮像装置。【００２６】
本態様によれば、外光の測光結果に基づいて、電子的可変ＮＤフィルターの透過率が切り替えられる。これにより、電子的可変ＮＤフィルターの透過率を、外光に応じて、適切な透過率に設定できる。【００２７】
（１０）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する電子的可変ＮＤフィルターと、を備えた撮像装置のファインダー内表示制御方法であって、電子的可変ＮＤフィルターの透過率が切り替えられた場合に、経時的に変化してゆく電子的可変ＮＤフィルターの透過率を計測するステップと、透過率の計測結果に基づいて、表示デバイスの光量を制御し、光学ファインダーで観察される被写体の光学像と、光学像に重畳される表示デバイスの表示との光量比を一定に維持するステップと、を含む撮像装置のファインダー内表示制御方法。【００２８】
本態様によれば、電子的可変ＮＤフィルターの透過率が切り替えられると、電子的可変ＮＤフィルターの透過率がリアルタイムに計測される。そして、その計測結果に基づいて、表示デバイスの光量が制御される。具体的には、光学ファインダーを介して観察される被写体の光学像と、その光学像に重畳される表示デバイスの表示との光量比が一定に維持されるように、表示デバイスの光量を制御する。これにより、電子的可変ＮＤフィルターの透過率を切り替えた場合であっても、ファインダー内の表示の視認性を良好に維持できる。【００２９】
（１１）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する電子的可変ＮＤフィルターと、を備えた撮像装置のファインダー内表示制御プログラムであって、電子的可変ＮＤフィルターの透過率が切り替えられた場合に、経時的に変化してゆく電子的可変ＮＤフィルターの透過率の計測結果の情報を取得するステップと、透過率の計測結果に基づいて、表示デバイスの光量を制御し、光学ファインダーで観察される被写体の光学像と、光学像に重畳される表示デバイスの表示との光量比を一定に維持する機能と、をコンピュータに実現させる撮像装置のファインダー内表示制御プログラム。【００３０】
本態様によれば、電子的可変ＮＤフィルターの透過率が切り替えられると、電子的可変ＮＤフィルターの透過率がリアルタイムに計測される。そして、その計測結果に基づいて、表示デバイスの光量が制御される。具体的には、光学ファインダーを介して観察される被写体の光学像と、その光学像に重畳される表示デバイスの表示との光量比が一定に維持されるように、表示デバイスの光量を制御する。これにより、電子的可変ＮＤフィルターの透過率を切り替えた場合であっても、ファインダー内の表示の視認性を良好に維持できる。【００３１】
（１２）ファインダー窓部を介して入射する被写体の光学像を接眼部から観察する観察光学系と、表示デバイスと、観察光学系の光路中に配置され、観察光学系で観察される被写体の光学像に表示デバイスの表示を重畳させる重畳光学素子と、観察光学系の光路中に配置され、重畳光学素子に入射する被写体の光学像の光量を調整する電子的可変ＮＤフィルターと、電子的可変ＮＤフィルターの透過率が切り替えられた場合に、経時的に変化してゆく電子的可変ＮＤフィルターの透過率を計測する透過率計測部と、透過率計測部の計測結果に基づいて、表示デバイスの光量を制御し、観察光学系で観察される被写体の光学像と、光学像に重畳される表示デバイスの表示との光量比を一定に維持する表示デバイス光量制御部と、を備えたビューファインダー。【００３２】
本態様によれば、電子的可変ＮＤフィルターの透過率が切り替えられると、電子的可変ＮＤフィルターの透過率がリアルタイムに計測される。そして、その計測結果に基づいて、表示デバイスの光量が制御される。具体的には、観察光学系を介して観察される被写体の光学像と、その光学像に重畳される表示デバイスの表示との光量比が一定に維持されるように、表示デバイスの光量を制御する。これにより、電子的可変ＮＤフィルターの透過率を切り替えた場合であっても、ファインダー内の表示の視認性を良好に維持できる。
【発明の効果】
【００３３】
本発明によれば、ファインダー内の表示の視認性を良好に維持できる。
【図面の簡単な説明】
【００３４】
【図１】本発明が適用されたデジタルカメラの一実施形態を示す正面図
【図２】図１に示すデジタルカメラの背面斜視図
【図３】ビューファインダーの構成を示す平面断面図
【図４】ＯＶＦの重畳表示の概念図
【図５】ＯＶＦとＥＶＦの切り替えの概念図
【図６】デジタルカメラの電気的な概略構成を示す図
【図７】透過率計測部の構成を示す側面断面図
【図８】図７の８−８断面図
【図９】カメラ制御部が実現する主な機能のブロック図
【図１０】ビューファインダー制御部が実現する機能のブロック図
【図１１】被写体の明るさ（被写体輝度）とファインダーＬＣＤの光量との関係を示すグラフ
【図１２】可変ＮＤフィルターの透過率の経時的な変化と、その透過率の経時的な変化に基づくファインダーＬＣＤの光量の制御と、その制御により実現される光量比との関係を示すグラフ
【図１３】可変ＮＤフィルターの透過率の切り替えの手順を示すフローチャート
【図１４】可変ＮＤフィルターの透過率の切り替えに連動したファインダーＬＣＤの光量制御の手順を示すフローチャート
【図１５】投光部及び受光部を利用して可変ＮＤフィルターの透過率を計測する場合の透過率計測部の他の一例を示す図
【図１６】テーブルを利用して可変ＮＤフィルターの透過率を計測する場合の透過率計測部の一例を示す図
【図１７】測光部の他の一例を示す概略構成図
【図１８】本発明が適用された一眼レフカメラの一例を示す概略構成図
【発明を実施するための形態】
【００３５】
以下、添付図面に従って本発明を実施するための好ましい形態について詳説する。
【００３６】
［外観構成］
図１は、本発明が適用されたデジタルカメラの一実施形態を示す正面図である。図２は、図１に示すデジタルカメラの背面斜視図である。
【００３７】
このデジタルカメラ１は、撮像レンズ３がカメラボディー２に一体的に組み付けられたレンズ一体型のデジタルカメラである。デジタルカメラ１は、撮像装置の一例である。
【００３８】
図１及び図２に示すように、デジタルカメラ１は、そのカメラボディー２に撮像レンズ３、ビューファインダー３０及び背面モニター４等を備える。また、デジタルカメラ１は、そのカメラボディー２に、操作部材として、電源レバー１１、シャッターボタン１２、露出補正ダイヤル１３、シャッタースピードダイヤル１４、ファインダー切替レバー１５、コマンドダイヤル１６、ビューモードボタン１７、再生ボタン１８、消去ボタン１９、ファンクションボタン２０、ＡＥ／ＡＦロックボタン２１、セレクターボタン２２、ＯＫボタン２３、メニューボタン２４及びＤＩＳＰ／ＢＡＣＫボタン２５等を備える。
【００３９】
撮像レンズ３は、カメラボディー２の正面に備えられる。撮像レンズ３は、焦点調節機能を備えた単焦点レンズで構成される。
【００４０】
ビューファインダー３０は、光学ビューファインダー（ＯＶＦ：Optical View Finder）及び電子ビューファインダー（ＥＶＦ：Electronic View Finder）の双方を切り替えて使用可能なハイブリッドビューファインダー（ＨＶＦ：Hybrid View Finder）で構成される。カメラボディー２の正面には、ビューファインダー３０のファインダー窓部３０ａが備えられ、背面にはビューファインダー３０のファインダー接眼部３０ｂが備えられる。ビューファインダー３０の詳細については後述する。
【００４１】
背面モニター４は、カメラボディー２の背面に備えられる。背面モニター４は、たとえば、液晶ディスプレイ（ＬＣＤ： Liquid Crystal Display) で構成される。
【００４２】
電源レバー１１は、デジタルカメラ１の電源をオン、オフするレバーである。電源レバー１１は、カメラボディー２の上面に備えられる。電源レバー１１は、シャッターボタン１２を中心に揺動して、オン位置とオフ位置との間を選択的に移動する。電源レバー１１をオン位置に位置させると、デジタルカメラ１の電源がオンされる。また、電源レバー１１をオフ位置に移動させると、デジタルカメラ１の電源がオフされる。
【００４３】
シャッターボタン１２は、撮像を指示するボタンである。シャッターボタン１２は、カメラボディー２の上面に備えられる。シャッターボタン１２は、半押し及び全押しが可能な二段ストローク式の押圧ボタンで構成される。シャッターボタン１２を半押しすると、撮像準備が指示される。また、シャッターボタン１２を全押しすると、撮像実行が指示される。
【００４４】
露出補正ダイヤル１３は、露出補正量を設定するダイヤルである。露出補正ダイヤル１３は、カメラボディー２の上面に備えられる。
【００４５】
シャッタースピードダイヤル１４は、シャッタースピードを設定するダイヤルである。シャッタースピードダイヤル１４は、カメラボディー２の上面に備えられる。
【００４６】
ファインダー切替レバー１５は、ビューファインダー３０のモードを切り替えるレバーである。ファインダー切替レバー１５は、カメラボディー２の正面に備えられる。ファインダー切替レバー１５は、揺動操作されて、ビューファインダー３０のモードを切り替える。具体的には、ファインダー切替レバー１５を揺動させるたびに、ビューファインダー３０のＯＶＦとＥＶＦとが交互に切り替わる。
【００４７】
コマンドダイヤル１６は、時計回り及び反時計回りへの回転操作が可能な回転操作部材であり、カメラボディー２の背面に備えられる。コマンドダイヤル１６には、デジタルカメラ１のモードに応じた機能が割り当てられる。たとえば、撮像モードでは、絞りの調整が行われ、再生モードでは、再生中の画像の拡大、縮小が行われる。
【００４８】
ビューモードボタン１７は、ビューファインダー３０による表示と背面モニター４による表示とを切り替えるボタンである。ビューモードボタン１７は、カメラボディー２の背面に備えられる。ビューモードボタン１７を押すたびに、ビューファインダー３０による表示と背面モニター４による表示とが交互に切り替わる。ビューファインダー３０による表示が選択された場合、背面モニター４による表示はオフされる。一方、背面モニター４による表示が選択された場合、ビューファインダー３０による表示はオフとされる。
【００４９】
再生ボタン１８は、撮像モードから再生モードへの切り替えを指示するボタンである。再生ボタン１８は、カメラボディー２の背面に備えられる。撮像モードに設定されている状態で再生ボタン１８を押すと、デジタルカメラ１のモードが再生モードに切り替えられる。なお、再生モードに設定されている状態でシャッターボタン１２を押すと、デジタルカメラ１のモードが撮像モードに切り替えられる。
【００５０】
消去ボタン１９は、再生中の画像の消去を指示するボタンである。消去ボタン１９は、カメラボディー２の背面に備えられる。
【００５１】
ファンクションボタン２０は、あらかじめ割り当てられた機能を動作させるボタンである。ファンクションボタン２０は、カメラボディー２の背面に備えられる。
【００５２】
ＡＥ／ＡＦロックボタン２１は、ＡＥ（Automatic Exposure）及びＡＦ（Auto Focus）のロックを指示するボタンである。ＡＥ／ＡＦロックボタン２１は、カメラボディー２の背面に備えられる。ＡＥ／ＡＦロックボタン２１が押されている間、ＡＥ及びＡＦがロックされる。
【００５３】
セレクターボタン２２は、上、下、左、右の４つの方向に押圧操作が可能なボタンである。セレクターボタン２２は、カメラボディー２の背面に備えられる。セレクターボタン２２の各方向には、デジタルカメラ１の状態に応じた機能が割り当てられる。たとえば、背面モニター４を用いて各種設定を行う際には、画面上に表示されたカーソルを移動させる機能が割り当てられる。また、再生モードでは、左右のボタンにコマ送り、コマ戻しの機能が割り当てられる。
【００５４】
ＯＫボタン２３は、各種設定等を行う際にＯＫを指示するボタンである。ＯＫボタン２３は、セレクターボタン２２の中央に配置される。
【００５５】
メニューボタン２４は、メニュー画面の呼び出しを指示するボタンである。メニューボタン２４は、カメラボディー２の背面に備えられる。メニューボタン２４を押すと、背面モニター４に各種設定を行うためのメニュー画面が表示される。
【００５６】
ＤＩＳＰ／ＢＡＣＫボタン２５は、背面モニター４及びビューファインダー３０に表示されている内容の切り替えを指示するボタン（ＤＩＳＰボタンとしての機能）である。また、ＤＩＳＰ／ＢＡＣＫボタン２５は、各種設定等を行う際にデジタルカメラ１の状態を１つ前の状態に戻すことを指示するボタン（ＢＡＣＫボタンとしての機能）である。ＤＩＳＰ／ＢＡＣＫボタン２５は、カメラボディー２の背面に備えられる。ＤＩＳＰボタンとしての機能とＢＡＣＫボタンとしての機能は、デジタルカメラ１の状態に応じて自動的に切り替えられる。
【００５７】
［ビューファインダー］
《ビューファインダーの構成》
図３は、ビューファインダーの構成を示す平面断面図である。
【００５８】
同図に示すように、ビューファインダー３０は、観察光学系３２、ビームスプリッター３４、ファインダーＬＣＤ３６、ターゲットレンズ３８、可変ＮＤフィルター４０、ファインダーシャッター４２及びカバーガラス４４を備える。
【００５９】
〈観察光学系〉
観察光学系３２は、被写体の光学像を観察する光学系である。観察光学系３２は、逆ガリレオ式ファインダーの観察光学系で構成され、負の屈折力を有する対物レンズ３２ａ及び正の屈折力を有する接眼レンズ３２ｂを備える。ビューファインダー３０のファインダー窓部３０ａ及びファインダー接眼部３０ｂは、観察光学系３２の光軸Ｌｏ上に配置される。
【００６０】
〈ビームスプリッター〉
ビームスプリッター３４は、２個の直角プリズムを接合したプリズム型のビームスプリッターで構成され、その内部の斜面に半透膜３４ａを有する。半透膜３４ａは、ビームスプリッター３４の入射面に垂直に入射した光を透過光と反射光に分割する。ビームスプリッター３４は、重畳光学素子の一例である。ビームスプリッター３４は、観察光学系３２の光軸Ｌｏ上に配置され、対物レンズ３２ａと接眼レンズ３２ｂの間に配置される。
【００６１】
〈ファインダーＬＣＤ〉
ファインダーＬＣＤ（Liquid Crystal Display）３６は、ビューファインダー３０をＯＶＦとして使用する際に、観察光学系３２で観察される被写体の光学像に重畳させる情報を表示する。また、ファインダーＬＣＤ３６は、ビューファインダー３０をＥＶＦとして使用する際に、イメージセンサー５２（図６参照）が捉えた画像をリアルタイムに表示する。ファインダーＬＣＤ３６は、表示デバイスの一例である。ファインダーＬＣＤ３６は、たとえば、バックライトを備えた透過型のＬＣＤで構成される。ファインダーＬＣＤ３６は、光軸Ｌｄ上に配置される。光軸Ｌｄは、ビームスプリッター３４の半透膜３４ａを通り、観察光学系３２の光軸Ｌｏと直交する光軸である。
【００６２】
〈ターゲットレンズ〉
ターゲットレンズ３８は、ファインダーＬＣＤ３６とビームスプリッター３４の間の光路に配置され、ファインダーＬＣＤ３６からの光を接眼レンズ３２ｂに導く。
【００６３】
〈可変ＮＤフィルター〉
可変ＮＤフィルター（ＮＤ：Neutral Density）４０は、ファインダー窓部３０ａに備えられ、その透過率（濃度）を変化させることにより、観察光学系３２に入射する光の光量を調整する。
【００６４】
本実施の形態のデジタルカメラ１では、可変ＮＤフィルター４０が電子的可変ＮＤフィルターで構成される。電子的可変ＮＤフィルターは、透過率（濃度）を電子制御できるＮＤフィルターである。特に、本実施の形態のデジタルカメラ１では、エレクトロクロミック素子で構成された電子的可変ＮＤフィルターが使用される。
【００６５】
エレクトロクロミック素子（ＥＣ（electrochromic）素子）は、電圧印加による電気化学的酸化還元反応によって、物質の色が可逆的に変化するエレクトロクロミック現象を応用した光学素子である。エレクトロクロミック素子は、化学反応を利用しているため、動作速度が遅いという特性を有する。
【００６６】
〈ファインダーシャッター〉
ファインダーシャッター４２は、ファインダー窓部３０ａを開閉する。ファインダーシャッター４２は、ファインダー窓部３０ａの開口を遮蔽可能なファインダーシャッター地板４２ａと、そのファインダーシャッター地板４２ａを駆動するファインダーシャッター駆動部４２ｂ（図６参照）と、を備える。ファインダーシャッター地板４２ａは、ファインダーシャッター駆動部４２ｂに駆動されて、閉位置（図３に破線で示す位置）と開位置（図３に実線で示す位置）との間をスライド移動し、ファインダー窓部３０ａを開閉する。
【００６７】
ファインダーシャッター地板４２ａが閉位置に移動すると、ファインダー窓部３０ａの開口がファインダーシャッター地板４２ａによって閉じられ、観察光学系３２が遮光される。一方、ファインダーシャッター地板４２ａが開位置に移動すると、ファインダーシャッター地板４２ａが観察光学系３２の光路から退避し、観察光学系３２を介した被写体の光学像の観察が可能になる。
【００６８】
〈カバーガラス〉
カバーガラス４４は、ファインダー接眼部３０ｂに備えられる。カバーガラス４４は、透明なガラス板で構成される。
【００６９】
《ビューファインダーの機能》
以上のように構成されるビューファインダー３０は、ファインダーシャッター４２の開閉により、ＯＶＦ（Optical View Finder／光学ビューファインダー）とＥＶＦ（Electronic View Finder／電子ビューファインダー）とを切り替えて使用できる。
【００７０】
〈ＯＶＦとして使用する場合〉
ＯＶＦとして使用する場合は、ファインダーシャッター４２を開く。ファインダーシャッター４２を開くと、被写体からの光がファインダー窓部３０ａから入射する。ファインダー窓部３０ａから入射した光は、可変ＮＤフィルター４０、対物レンズ３２ａ、ビームスプリッター３４、接眼レンズ３２ｂ、カバーガラス４４を順番に透過し、アイポイントＥＰに入射する。これにより、アイポイントＥＰで被写体の光学像が観察される。
【００７１】
また、ファインダーシャッター４２を開いた状態でファインダーＬＣＤ３６に画像を表示すると、ファインダーＬＣＤ３６からの光が、ターゲットレンズ３８を介してビームスプリッター３４に入射する。ビームスプリッター３４に入射した光は、半透膜３４ａで反射され、接眼レンズ３２ｂを介してアイポイントＥＰに入射する。これにより、アイポイントＥＰにおいて、ファインダーＬＣＤ３６の表示が観察光学系３２による被写体の光学像に重畳されて観察される。
【００７２】
図４は、ＯＶＦの重畳表示の概念図である。
【００７３】
図４（Ａ）は、ファインダー接眼部３０ｂから観察光学系３２を介して観察されるＯＶＦの画面である。図４（Ｂ）は、ファインダーＬＣＤ３６の画面である。同図に示す例では、ファインダーＬＣＤ３６に視野枠Ｆ１、ＡＦ枠Ｆ２、撮像情報Ｉ１を表示した例を示している。視野枠Ｆ１は、撮影範囲を示す枠である。ＡＦ枠Ｆ２は、ＡＦ（Auto Focus）の際に焦点合わせする領域を示す枠である。撮像情報Ｉ１には、撮像モード、露出モード、シャッタースピード、絞り値、露出補正量、感度、撮像可能枚数、電池残量等が含まれる。撮像情報Ｉ１は視野枠Ｆ１の周囲の余白部に表示される。図４（Ｃ）は、ファインダーＬＣＤ３６の表示が重畳されたＯＶＦの画面である。図４（Ｃ）に示すように、ファインダーシャッター４２を開いた状態でファインダーＬＣＤ３６に画像を表示すると、ファインダーＬＣＤ３６に表示した画像がＯＶＦの画面に映し出される。ファインダーＬＣＤ３６の表示をオフした場合は、図４（Ａ）に示すように、光学像のみが観察される。
【００７４】
〈ＥＶＦとして使用する場合〉
ビューファインダー３０をＥＶＦとして使用する場合は、ファインダーシャッター４２を閉じる。ファインダーシャッター４２を閉じた状態でファインダーＬＣＤ３６に画像を表示すると、ファインダーＬＣＤ３６の表示のみがアイポイントＥＰで観察される。したがって、ファインダーシャッター４２を閉じて、イメージセンサー５２で捉えた画像をファインダーＬＣＤ３６にリアルタイムに表示させれば、ビューファインダー３０をＥＶＦとして使用できる。
【００７５】
〈ＯＶＦとＥＶＦの切り替え〉
図５は、ＯＶＦとＥＶＦの切り替えの概念図である。
【００７６】
図５（Ａ）は、ＯＶＦの画面であり、図５（Ｂ）は、ＥＶＦの画面である。ＯＶＦとＥＶＦとの切り替えは、ファインダー切替レバー１５で行われ、ファインダー切替レバー１５を揺動させるたびに、ＯＶＦとＥＶＦとが交互に切り替えられる。
【００７７】
［デジタルカメラの電気的構成］
図６は、デジタルカメラの電気的な概略構成を示す図である。
【００７８】
同図に示すように、デジタルカメラ１は、撮像レンズ３、レンズ駆動部５０、イメージセンサー５２、イメージセンサー駆動部５４、アナログ信号処理部５６、アナログデジタル変換器（ＡＤＣ：Analog-to-digital converter）５８、デジタル信号処理部６０、ＡＦ検出部６２、測光部６４、メモリーカードインターフェース部（Ｉ／Ｆ：interface）６６、メモリーカード６８、背面モニター４、背面モニタードライバー７０、通信インターフェース部（Ｉ／Ｆ：interface）７２、ＥＥＰＲＯＭ（Electrically Erasable Programmable Read-only Memory）７４、操作部７６、センサー部７８、ファインダーシャッター４２、ファインダーＬＣＤ３６、ファインダーＬＣＤドライバー８２、可変ＮＤフィルター４０、可変ＮＤフィルタードライバー８４、透過率計測部９０、及び、カメラ制御部１００等を備える。
【００７９】
《撮像レンズ及びレンズ駆動部》
撮像レンズ３は、複数枚のレンズを組み合わせて構成される。撮像レンズ３は、焦点調節機構を有し、その一部のレンズ（フォーカスレンズ）３ｆを光軸Ｚに沿って前後移動させることにより、焦点調節される。また、撮像レンズ３は、絞り３ｉを備え、その絞り３ｉの開口量を調整することにより、光量が調整される。絞り３ｉは、たとえばアイリス絞りで構成される。
【００８０】
レンズ駆動部５０は、フォーカスレンズ３ｆを駆動するフォーカスレンズ駆動部５０ｆ、及び、絞り３ｉを駆動する絞り駆動部５０ｉを備える。
【００８１】
フォーカスレンズ駆動部５０ｆは、フォーカスレンズ３ｆを光軸Ｚに沿って前後移動させる。フォーカスレンズ駆動部５０ｆは、モータ等のアクチュエータ及びその駆動回路を備える。フォーカスレンズ駆動部５０ｆは、カメラ制御部１００に制御される。カメラ制御部１００は、フォーカスレンズ駆動部５０ｆを制御して、フォーカスレンズ３ｆの移動を制御する。
【００８２】
絞り駆動部５０ｉは、絞り３ｉの開口部を拡縮させる。絞り駆動部５０ｉは、モータ等のアクチュエータ及びその駆動回路を備える。絞り駆動部５０ｉは、カメラ制御部１００に制御される。カメラ制御部１００は、絞り駆動部５０ｉを制御して、絞り３ｉの開口量を制御する。
【００８３】
《イメージセンサー及びイメージセンサー駆動部》
イメージセンサー５２は、撮像レンズ３を介して被写体を撮像する。イメージセンサー５２は、たとえば、ＣＣＤ（Charged Coupled Device）、ＣＭＯＳ（Complementary Metal Oxide Semiconductor）等の固体撮像素子で構成される。
【００８４】
イメージセンサー駆動部５４は、イメージセンサー５２を駆動し、イメージセンサー５２に画像を撮像させる。イメージセンサー駆動部５４は、カメラ制御部１００に制御される。カメラ制御部１００は、イメージセンサー駆動部５４を制御して、イメージセンサー５２による撮像を制御する。
【００８５】
《アナログ信号処理部及びアナログデジタル変換器》
アナログ信号処理部５６は、イメージセンサー５２から出力される画素ごとのアナログの画像信号を取り込み、相関二重サンプリング処理、増幅処理等の所定の信号処理を施す。
【００８６】
アナログデジタル変換器（ＡＤＣ）５８は、アナログ信号処理部５６から出力されるアナログの画像信号をデジタルの画像信号に変換して出力する。
【００８７】
《デジタル信号処理部》
デジタル信号処理部６０は、アナログデジタル変換器５８から出力されるデジタルの画像信号を取り込み、階調変換処理、ホワイトバランス補正処理、ガンマ補正処理、同時化処理、ＹＣ変換処理等の所定の信号処理を施して、画像データを生成する。
【００８８】
《ＡＦ検出部》
ＡＦ検出部６２は、アナログデジタル変換器５８から出力されるデジタルの画像信号を取り込み、コントラスト方式でのＡＦ（Auto Focus）制御に必要な焦点評価値の情報を算出する。
【００８９】
《測光部》
測光部６４は、アナログデジタル変換器５８から出力されるデジタルの画像信号を取り込み、被写体の明るさ（輝度）を検出する。
【００９０】
《メモリーカードインターフェース部及びメモリーカード》
メモリーカードインターフェース部６６は、カードスロットに装着されたメモリーカード６８に対してデータを読み書きする。
【００９１】
《背面モニター及び背面モニタードライバー》
背面モニター４は、撮像された画像の再生に使用されるほか、各種設定時に設定画面として利用される。また、背面モニター４は、ユーザーの選択により、ライブビューモニターとして使用される。すなわち、ビューモードボタン１７によって背面モニター４の使用が選択された場合、イメージセンサー５２で捉えた画像が背面モニター４にリアルタイムに表示される。これにより、背面モニター４がライブビューモニターとして使用される。
【００９２】
背面モニター４の表示は、カメラ制御部１００で制御される。カメラ制御部１００は、背面モニタードライバー７０を介して、背面モニター４の表示を制御する。
【００９３】
《通信インターフェース部》
通信インターフェース部７２は、規定の通信形式で外部機器と通信する。通信は、カメラ制御部１００によって制御される。
【００９４】
《ＥＥＰＲＯＭ》
ＥＥＰＲＯＭ７４は、追記が可能な不揮発性メモリーであり、デジタルカメラ１の制御等に必要なデータが記録される。ＥＥＰＲＯＭ７４は、撮像予定画像情報記憶部の一例であり、撮像予定地の情報及び撮像予定情報が記憶される。
【００９５】
《操作部》
操作部７６は、カメラボディー２に備えられた各操作部材（電源レバー１１、シャッターボタン１２、露出補正ダイヤル１３、シャッタースピードダイヤル１４、ファインダー切替レバー１５、コマンドダイヤル１６、ビューモードボタン１７、再生ボタン１８、消去ボタン１９、ファンクションボタン２０、ＡＥ／ＡＦロックボタン２１、セレクターボタン２２、ＯＫボタン２３、メニューボタン２４及びＤＩＳＰ／ＢＡＣＫボタン２５等）の操作に応じた信号をカメラ制御部１００に出力する。
【００９６】
《センサー部》
センサー部７８は、デジタルカメラ１の動き、現在地等を検出する。センサー部７８は、三軸加速度センサー７８ａ、三軸角速度センサー７８ｂ及び三軸地磁気センサー７８ｃを備える。
【００９７】
三軸加速度センサー７８ａは、デジタルカメラ１の三軸方向の加速度を検出する。三軸角速度センサー７８ｂは、デジタルカメラ１の三軸周りの角速度を検出する。三軸地磁気センサー７８ｃは、デジタルカメラ１の三軸方向の地磁気を検出して、方位を検出する。
【００９８】
ここで、三軸（ｘ軸、ｙ軸、ｚ軸）は、イメージセンサー５２の受光面を基準にして、次のように設定される。すなわち、イメージセンサー５２の受光面の中心を通り、かつ、水平な軸をｘ軸、イメージセンサー５２の受光面の中心を通り、かつ、鉛直な軸をｙ軸とする。また、イメージセンサー５２の受光面の中心を通り、かつ、受光面に垂直な軸をｚ軸とする。ｘ軸、ｙ軸及びｚ軸は互いに直交する。
【００９９】
イメージセンサー５２は、横長のアスペクト比を有し（たとえば、横：縦＝３：２）、その長辺がｘ軸と平行、かつ、短辺がｙ軸と平行に設定される。また、デジタルカメラ１は、そのカメラボディー２の底面がｘ軸と平行に設定される。また、デジタルカメラ１は、その撮像レンズ３の光軸Ｚがｚ軸と一致する。
【０１００】
三軸加速度センサー７８ａ、三軸角速度センサー７８ｂ及び三軸地磁気センサー７８ｃの出力に基づいて、デジタルカメラ１の撮像方位及び撮像姿勢が求められる。すなわち、イメージセンサー５２の受光面が向いている方位（撮像方位）、及び、水平、鉛直を基準としたイメージセンサー５２の姿勢（撮像姿勢）が求められる。撮像姿勢は、たとえば、水平、鉛直を基準としたイメージセンサー５２のｘ軸周りの回転角度、ｙ軸周りの回転角度、ｚ軸周りの回転角度として特定される。これにより、縦位置での撮像、横位置での撮像、アオリ等の姿勢が特定できる。
【０１０１】
《ファインダーシャッター》
ファインダーシャッター４２は、ファインダーシャッター地板４２ａ、及び、そのファインダーシャッター地板４２ａを駆動するファインダーシャッター駆動部４２ｂを備える。ファインダーシャッター駆動部４２ｂは、モータ等のアクチュエータ及びその駆動回路を備える。ファインダーシャッター駆動部４２ｂは、カメラ制御部１００に制御される。カメラ制御部１００は、ファインダーシャッター駆動部４２ｂを制御して、ファインダーシャッター４２によるファインダー窓部３０ａの開閉を制御する。
【０１０２】
《ファインダーＬＣＤ及びファインダーＬＣＤドライバー》
ファインダーＬＣＤ３６は、その表示がカメラ制御部１００で制御される。カメラ制御部１００は、ファインダーＬＣＤドライバー８２を介して、ファインダーＬＣＤ３６の表示を制御する。
【０１０３】
なお、カメラ制御部１００が行うファインダーＬＣＤ３６の表示の制御には、ファインダーＬＣＤ３６の光量の制御も含まれる。この点については、後述する。
【０１０４】
《可変ＮＤフィルター及び可変ＮＤフィルタードライバー》
可変ＮＤフィルター４０は、その透過率（濃度）が、可変ＮＤフィルタードライバー８４を介して、カメラ制御部１００に制御される。可変ＮＤフィルター４０の透過率は、外光の明るさに応じて切り替えられる。この透過率の切り替えについては後述する。
【０１０５】
《透過率計測部》
透過率計測部９０は、可変ＮＤフィルター４０の透過率を計測する。
【０１０６】
図７は、透過率計測部の構成を示す側面断面図である。図８は、図７の８−８断面図である。
【０１０７】
図７及び図８に示すように、透過率計測部９０は、反射材９２及び透過率計測ユニット９４を備える。
【０１０８】
〈反射材〉
反射材９２は、板状のミラーで構成される。反射材９２は、可変ＮＤフィルター４０の保持部９６に備えられる。
【０１０９】
可変ＮＤフィルター４０の保持部９６は、図７及び図８に示すように、カメラボディー２の外装体２ａに備えられる。図７及び図８に示すように、カメラボディー２の外装体２ａの内側には、ファインダー窓部３０ａの位置に可変ＮＤフィルター４０の保持部９６が備えられる。保持部９６は、可変ＮＤフィルター４０が嵌まる枠状の凹部として構成される。可変ＮＤフィルター４０は、保持部９６に嵌め込まれて、ファインダー窓部３０ａに取り付けられる。
【０１１０】
保持部９６に嵌め込まれた可変ＮＤフィルター４０は、止め板９６ａに挟まれて固定される。止め板９６ａは、枠形状を有し、図示しないネジで外装体２ａに固定される。
【０１１１】
反射材９２は、可変ＮＤフィルター４０の保持部９６に備えられた反射材取付部９６ｂに取り付けられる。反射材取付部９６ｂは、反射材９２が嵌まる凹部として構成される。反射材９２は、凹部に嵌め込まれて、反射材取付部９６ｂに取り付けられる。
【０１１２】
反射材取付部９６ｂに取り付けられた反射材９２は、保持部９６に保持された可変ＮＤフィルター４０と平行に配置される。
【０１１３】
〈透過率計測ユニット〉
透過率計測ユニット９４は、光を利用して、可変ＮＤフィルター４０の透過率を計測する。可変ＮＤフィルター４０を挟んで反射材９２と対向する位置に配置される。カメラボディー２の外装体２ａの内側には、透過率計測ユニット９４を取り付けるための透過率計測ユニット取付部９８が備えられる。
【０１１４】
透過率計測ユニット９４は、投光部９４ａ、受光部９４ｂ及び透過率演算部９４ｃを備える。投光部９４ａ及び受光部９４ｂは、それぞれ可変ＮＤフィルター４０を挟んで、反射材９２と対向して配置される。
【０１１５】
投光部９４ａは、反射材９２に向けて、規定光量の光を発光する。投光部９４ａは、たとえば、半導体ＬＥＤ（Light Emitting Diode）等の発光素子で構成される。
【０１１６】
受光部９４ｂは、投光部９４ａから投光され、反射材９２で反射した光を受光して、その受光量を計測する。受光部９４ｂは、たとえば、半導体受光素子で構成される。保持部９６に可変ＮＤフィルター４０が保持されている場合、受光部９４ｂでは、可変ＮＤフィルター４０を透過した光が受光される。なお、投光部９４ａから投光された光は、可変ＮＤフィルター４０を２回透過して、受光部９４ｂで受光される。
【０１１７】
透過率演算部９４ｃは、受光部９４ｂから受光量の情報を取得し、可変ＮＤフィルター４０の透過率を算出する。
【０１１８】
透過率の計測は、間欠的に実施される。たとえば、数１０ｍｓ〜数１００ｍｓの間隔で実施される。
【０１１９】
《カメラ制御部》
カメラ制御部１００は、デジタルカメラ１の全体の動作を統括制御する制御部である。カメラ制御部１００は、たとえば、ＣＰＵ（Central Processing Unit／中央処理装置）、ＲＡＭ（Random Access Memory）及びＲＯＭ（Read Only Memory）を備えたマイクロコンピュータで構成され、所定のプログラム（ファインダー内表示制御プログラム等）を実行することにより、各種機能を実現する。上記所定のプログラム（ファインダー内表示制御プログラム等）が格納される媒体は、ハードディスク、ＣＤ（Compact Disk）、ＤＶＤ（Digital Versatile Disk）、各種半導体メモリ等の、非一時的かつコンピュータ読取可能な記録媒体であってもよい。
【０１２０】
図９は、カメラ制御部が実現する主な機能のブロック図である。
【０１２１】
同図に示すように、カメラ制御部１００は、ＡＦ制御部１００ａ、ＡＥ制御部１００ｂ、記録制御部１００ｃ、通信制御部１００ｄ、背面モニター表示制御部１００ｅ、ビューファインダー制御部１１０等として機能する。
【０１２２】
〈ＡＦ制御部〉
ＡＦ制御部１００ａは、ＡＦ検出部６２の検出結果に基づいて、コントラスト方式のＡＦ（Auto Focus）制御を実施する。ＡＦ制御部１００ａは、フォーカスレンズ３ｆを至近端から無限遠端に移動させて、焦点評価値が最大となる位置を検出し、検出した位置にフォーカスレンズ３ｆを移動させる。
【０１２３】
〈ＡＥ制御部〉
ＡＥ制御部１００ｂは、測光部６４の測光結果に基づいて、適正露出を得るためのＡＥ（Automatic Exposure）制御を実施する。ＡＥ制御部１００ｂは、測光部６４の測光結果に基づいて、EV値（Exposure Value）を算出する。ＡＥ制御部１００ｂは、算出したＥＶ値に基づいて、絞り値及びシャッタースピードを決定する。ＡＥ制御部１００ｂは、決定した絞り値となるように、絞り駆動部５０ｉを介して、絞り３ｉを制御する。また、ＡＥ制御部１００ｂは、決定したシャッタースピードとなるように、イメージセンサー駆動部５４を介して、イメージセンサー５２を制御する。すなわち、決定したシャッタースピードで露光されるように、イメージセンサー５２の露光時間を制御する。
【０１２４】
〈記録制御部〉
記録制御部１００ｃは、メモリーカードインターフェース部６６を介して、メモリーカード６８へのデータの書き込み及び読み出しを制御する。撮像により得られた画像データは、メモリーカードインターフェース部６６を介して、メモリーカード６８に記録される。また、メモリーカード６８に記録された画像データは、メモリーカードインターフェース部６６を介して、メモリーカード６８から読み出される。
【０１２５】
〈通信制御部〉
通信制御部１００ｄは、通信インターフェース部７２を介して、外部機器との通信を制御する。
【０１２６】
〈背面モニター表示制御部〉
背面モニター表示制御部１００ｅは、背面モニター４への表示を制御する。上記のように、背面モニター４は、撮像された画像の再生に使用されるほか、各種設定時に設定画面として利用される。また、背面モニター４は、ユーザーの選択により、ライブビューモニターとして使用される。背面モニター表示制御部１００ｅは、背面モニタードライバー７０を介して、背面モニター４の表示を制御する。
【０１２７】
〈ビューファインダー制御部〉
ビューファインダー制御部１１０は、ビューファインダー３０を制御する。
【０１２８】
図１０は、ビューファインダー制御部が実現する機能のブロック図である。
【０１２９】
ビューファインダー制御部１１０は、ファインダーシャッター制御部１１０ａ、ファインダーＬＣＤ表示制御部１１０ｂ、透過率計測制御部１１０ｃ及び可変ＮＤフィルター透過率切替制御部１１０ｄ等の機能を実現する。
【０１３０】
〔ファインダーシャッター制御部〕
ファインダーシャッター制御部１１０ａは、ファインダー切替レバー１５によるＯＶＦとＥＶＦの切り替え操作に基づいて、ファインダーシャッター４２の開閉を制御する。ファインダーシャッター制御部１１０ａは、ファインダー切替レバー１５によって、ＯＶＦが選択されると、ファインダーシャッター４２を開き、ＥＶＦが選択されると、ファインダーシャッター４２を閉じる。ファインダーシャッター制御部１１０ａは、ファインダーシャッター駆動部４２ｂを介して、ファインダーシャッター４２の開閉を制御する。
【０１３１】
〔ファインダーＬＣＤ表示制御部〕
ファインダーＬＣＤ表示制御部１１０ｂは、ファインダーＬＣＤ３６の表示を制御する。ＯＶＦが選択された場合、ファインダーＬＣＤ表示制御部１１０ｂは、視野枠、ＡＦ枠、撮像情報等の情報をファインダーＬＣＤ３６に表示させる（図５（Ａ）参照）。一方、ＥＶＦが選択された場合、ファインダーＬＣＤ表示制御部１１０ｂは、イメージセンサー５２で捉えた画像をリアルタイムにファインダーＬＣＤ３６に表示させる（図５（Ｂ）参照）。
【０１３２】
また、ファインダーＬＣＤ表示制御部１１０ｂは、測光部６４による測光結果、及び、透過率計測部９０による可変ＮＤフィルター４０の透過率に基づいて、ファインダーＬＣＤ３６の光量を制御する。この点については、後述する。
【０１３３】
〔透過率計測制御部〕
透過率計測制御部１１０ｃは、透過率計測部９０による可変ＮＤフィルター４０の透過率の計測を制御する。透過率計測部９０は、可変ＮＤフィルター４０の透過率が切り替えられた場合に可変ＮＤフィルター４０の透過率を計測する。
【０１３４】
上記のように、本実施の形態の可変ＮＤフィルター４０は、エレクトロクロミック素子（ＥＣ素子）で構成される。エレクトロクロミック素子は、動作速度が遅いという特性を有する。このため、切り替えを指示しても、瞬時には切り替わらず、目標の透過率になるまで一定の時間を要する。
【０１３５】
透過率計測部９０は、可変ＮＤフィルター４０の透過率が切り替えられた場合に、経時的に変化してゆく可変ＮＤフィルター４０の透過率を計測する。透過率計測制御部１１０ｃは、その計測を制御する。すなわち、可変ＮＤフィルター４０の透過率が切り替えられた場合に、透過率計測部９０を制御し、可変ＮＤフィルター４０の透過率が目標透過率に到達するまで、リアルタイムに計測させる。
【０１３６】
〔可変ＮＤフィルター透過率切替制御部〕
可変ＮＤフィルター透過率切替制御部１１０ｄは、可変ＮＤフィルター４０の透過率の切り替えを制御する。可変ＮＤフィルター透過率切替制御部１１０ｄは、透過率切替制御部の一例である。
【０１３７】
ここで、本実施の形態のデジタルカメラ１では、可変ＮＤフィルター４０の透過率が２段階で切り替えられる構成とする。すなわち、可変ＮＤフィルター４０の透過率が、第１の透過率と第２の透過率との間で選択的に切り替えられる構成とする。ここでは、第１の透過率を１００％、第２の透過率を８０％とする。
【０１３８】
可変ＮＤフィルター透過率切替制御部１１０ｄは、測光部６４による測光結果に基づいて、可変ＮＤフィルター４０の透過率を切り替える。具体的には、測光部６４で測光される被写体の明るさ（輝度）が、あらかじめ定められた閾値ＢＴ未満の場合は、可変ＮＤフィルター４０の透過率を第１の透過率とする。一方、測光部６４で測光される被写体の明るさ（輝度）が、あらかじめ定められた閾値ＢＴ以上の場合は、可変ＮＤフィルター４０の透過率を第２の透過率とする。すなわち、一定の明るさ以上になると、可変ＮＤフィルター４０の透過率が下げられる。これにより、明るい環境でＯＶＦを使用する場合に、ファインダーＬＣＤ３６の表示の視認性を向上できる。
【０１３９】
閾値ＢＴは、ファインダー内の表示の視認性を考慮して設定される。たとえば、後述するように、被写体の明るさに応じてファインダーＬＣＤ３６の光量を制御する場合、ファインダーＬＣＤ３６の光量は、ある明るさで上限に達する。すなわち、それ以上の光量にすることが不能になる。閾値ＢＴは、ファインダーＬＣＤ３６の光量が上限に達した際の被写体の明るさの値に設定される（図１１参照）。
【０１４０】
なお、可変ＮＤフィルター透過率切替制御部１１０ｄが、可変ＮＤフィルター４０の透過率の切り替えを制御するのは、ＯＶＦを使用している場合のみである。
【０１４１】
〈ファインダーＬＣＤの光量の制御〉
上記のように、ファインダーＬＣＤ表示制御部１１０ｂは、測光部６４による測光結果、及び、透過率計測部９０による可変ＮＤフィルター４０の透過率に基づいて、ファインダーＬＣＤ３６の光量を制御する。ファインダーＬＣＤ表示制御部１１０ｂは、表示デバイス光量制御部の一例である。
【０１４２】
〔測光部による測光結果に基づくファインダーＬＣＤの光量の制御〕
ファインダーＬＣＤ表示制御部１１０ｂは、測光部６４による測光結果に基づいて、ファインダーＬＣＤ３６の光量を制御する。すなわち、被写体の明るさ（輝度）に応じて、ファインダーＬＣＤ３６の光量を制御する。
【０１４３】
ファインダーＬＣＤ表示制御部１１０ｂは、ファインダーＬＣＤ３６に備えられたバックライトの駆動を制御して、ファインダーＬＣＤ３６の光量を制御する。たとえば、バックライトの印加電圧をＰＷＭ（Pulse Width Modulation）駆動して、ファインダーＬＣＤ３６の光量を制御する。
【０１４４】
図１１は、被写体の明るさ（被写体輝度）とファインダーＬＣＤの光量との関係を示すグラフである。
【０１４５】
同図に示すように、ファインダーＬＣＤ表示制御部１１０ｂは、測光部６４による測光結果（被写体輝度）に基づいて、ファインダーＬＣＤ３６の光量を制御する。より具体的には、バックライトの駆動を制御する。
【０１４６】
このように、被写体の明るさに応じてファインダーＬＣＤ３６の光量を制御することにより、明るい環境から暗い環境まで常にファインダー内の表示の視認性を良好に維持できる。
【０１４７】
〔可変ＮＤフィルターの透過率の計測結果に基づくファインダーＬＣＤの光量の制御〕
ファインダーＬＣＤ表示制御部１１０ｂは、可変ＮＤフィルター４０の透過率が切り替えられた場合、透過率計測部９０で計測される可変ＮＤフィルター４０の透過率に基づいて、ファインダーＬＣＤ３６の光量を制御する。
【０１４８】
上記のように、可変ＮＤフィルター４０は、目標の透過率に切り替わるまで一定の時間を要する。ファインダーＬＣＤ表示制御部１１０ｂは、可変ＮＤフィルター４０が目標の透過率に切り替わるまでの間、透過率計測部９０で計測される可変ＮＤフィルター４０の透過率に基づいて、ファインダーＬＣＤ３６の光量をリアルタイムに制御する。具体的には、観察光学系３２を介して観察される被写体の光学像と、その光学像に重畳されるファインダーＬＣＤ３６の表示との光量比が一定（ほぼ一定と認められる範囲を含む）に維持されるように、ファインダーＬＣＤ３６の光量をリアルタイムに制御する。
【０１４９】
図１２は、可変ＮＤフィルターの透過率の経時的な変化と、その透過率の経時的な変化に基づくファインダーＬＣＤの光量の制御と、その制御により実現される光量比との関係を示すグラフである。
【０１５０】
同図（Ａ）は、可変ＮＤフィルターの透過率の経時的な変化を示すグラフである。横軸を時間、縦軸を可変ＮＤフィルターの透過率としている。同図では、時間Ｔ０において、可変ＮＤフィルター４０の透過率を第２の透過率τ２から第１の透過率τ１に切り替えた場合の例を示している。同図に示すように、可変ＮＤフィルター４０の透過率は、切り替えを指示しても、直ぐには切り替わらず、目標の透過率（第１の透過率τ１）に切り替わるまでには一定の時間を要する。同図に示す例では、時間Ｔ１において、目標の透過率（第１の透過率τ１）への切り替えが完了している。
【０１５１】
図１２（Ｂ）は、可変ＮＤフィルターの透過率の経時的な変化に基づいて制御した場合のファインダーＬＣＤの光量の変化を示すグラフである。横軸を時間、縦軸をファインダーＬＣＤ３６の光量としている。
【０１５２】
図１２（Ａ）及び（Ｂ）に示すように、可変ＮＤフィルター４０の透過率の変化に合わせて、リアルタイムにファインダーＬＣＤ３６の光量を調整する。
【０１５３】
図１２（Ｃ）は、観察光学系３２を介して観察される被写体の光学像と、その光学像に重畳されるファインダーＬＣＤ３６の表示との光量比の経時的な変化を示すグラフである。横軸を時間、縦軸を光量比としている。
【０１５４】
同図に示すように、可変ＮＤフィルター４０の透過率の変化に合わせて、リアルタイムにファインダーＬＣＤ３６の光量を調整し、光量比を一定に維持する。換言すると、この光量比が一定になるように、可変ＮＤフィルター４０の透過率の変化に合わせて、リアルタイムにファインダーＬＣＤ３６の光量を調整する。
【０１５５】
これにより、可変ＮＤフィルター４０の透過率を切り替えた場合であっても、ファインダー内の表示の視認性を良好に維持できる。
【０１５６】
なお、上記のように、可変ＮＤフィルター４０の透過率の計測は間欠的に実施される。ファインダーＬＣＤ表示制御部１１０ｂは、間欠的に得られる透過率の計測結果の情報に基づいて、間欠的にファインダーＬＣＤ３６の光量を制御する。
【０１５７】
また、ファインダーＬＣＤ表示制御部１１０ｂは、ファインダーＬＣＤ３６に備えられたバックライトの駆動を制御して、ファインダーＬＣＤ３６の光量を制御する。
【０１５８】
［デジタルカメラの作用］
デジタルカメラ１は、画像を撮像する機能及び画像を再生する機能を有する。画像を撮像する機能は、デジタルカメラ１のモードを撮像モードに設定することにより有効にされる。一方、画像を再生する機能は、デジタルカメラ１のモードを再生モードに設定することにより有効にされる。デジタルカメラ１は、電源を投入すると、撮像モードで起動する。また、デジタルカメラ１は、撮像モードの状態で再生ボタン１８が押されると、再生モードに切り替わる。更に、デジタルカメラ１は、再生モードの状態でシャッターボタン１２が押されると、撮像モードに切り替わる。
【０１５９】
《撮像モード》
撮像モードに設定されたデジタルカメラ１は、シャッターボタン１２の操作に応じて、撮像処理を実施する。具体的には、シャッターボタン１２の半押し操作に応じて、ＡＥ及びＡＦの各処理を実施する。また、シャッターボタン１２の全押しの操作に応じて、記録用の撮像を実施し、得られた画像をメモリーカード６８に記録する。
【０１６０】
撮像に際して、ユーザーは、ビューファインダー３０又は背面モニター４を利用して、撮像範囲等を確認する。ビューファインダー３０と背面モニター４のいずれを利用するかは、ビューモードの設定による。ビューモードは、ビューモードボタン１７によって切り替えられる。
【０１６１】
ビューモードとして、背面モニター４が選択されている場合、背面モニター４にライブビューが表示される。すなわち、撮像レンズ３を介してイメージセンサー５２で捉えた画像が、背面モニター４にリアルタイムに表示される。ユーザーは、この背面モニター４の表示を見て、撮像範囲、焦点状態等を確認する。
【０１６２】
一方、ビューモードとして、ビューファインダー３０が選択されている場合、ユーザーは、ビューファインダー３０を利用して、撮像範囲等を確認する。
【０１６３】
ここで、ビューファインダー３０は、ＯＶＦ又はＥＶＦとして機能させることができる。ビューファインダー３０をＯＶＦとＥＶＦのいずれとして機能させるかは、ビューファインダー３０の設定による。ビューファインダー３０の設定は、ファインダー切替レバー１５によって切り替えられる。
【０１６４】
ＥＶＦが選択されている場合、ビューファインダー３０にライブビューが表示される（図５（Ｂ）参照）。この場合、ファインダーシャッター４２が閉じられ、ファインダーＬＣＤ３６にライブビューが表示される。これにより、ビューファインダー３０がＥＶＦとして機能する。ユーザーは、このＥＶＦとして機能するビューファインダー３０を利用して、撮像範囲、焦点状態等を確認する。
【０１６５】
一方、ＯＶＦが選択されている場合、ファインダーシャッター４２が開かれる。これにより、観察光学系３２を介してファインダー接眼部３０ｂから被写体の光学像が観察される。また、ＯＶＦが選択されている場合、ファインダーＬＣＤ３６に視野枠等が表示される。これにより、ファインダーＬＣＤ３６に表示された視野枠等が、観察光学系３２による被写体の光学像に重畳されて観察される。
【０１６６】
また、ＯＶＦが選択されている場合、ファインダー内の表示の視認性を向上させるため、測光部６４の測光結果（被写体輝度）に基づいて、ファインダーＬＣＤ３６の光量が制御される。すなわち、測光結果に応じた光量に制御される（図１１参照）。
【０１６７】
また、測光部６４による測光結果に基づいて、可変ＮＤフィルター４０の透過率が切り替えられる。可変ＮＤフィルター４０の透過率は、測光部６４による測光結果が閾値ＢＴ未満の場合、第１の透過率τ１とされ、閾値ＢＴ以上の場合、透過率を第２の透過率τ２とされる。
【０１６８】
また、可変ＮＤフィルター４０の透過率が切り替えられた場合は、その切り替えに連動して、ファインダーＬＣＤ３６の光量が制御される。ファインダーＬＣＤ３６の光量は、可変ＮＤフィルター４０の透過率の変化に合わせて、リアルタイムに制御される。
【０１６９】
図１３は、可変ＮＤフィルターの透過率の切り替えの手順を示すフローチャートである。
【０１７０】
まず、測光部６４による測光結果（被写体輝度）の情報が取得される（ステップＳ１１）。次に、取得した測光結果が閾値ＢＴ以上であるか否かが判定される（ステップＳ１２）。
【０１７１】
閾値ＢＴ以上の場合（ステップＳ１２においてＹＥＳの場合）、現在の可変ＮＤフィルター４０の透過率の設定が第１の透過率か否かが判定される（ステップＳ１３）。現在の可変ＮＤフィルター４０の透過率の設定が第１の透過率の場合、可変ＮＤフィルター４０の透過率が切り替えられる（ステップＳ１５）。この場合、第１の透過率から第２の透過率に切り替えられる。すなわち、明るい環境なので、より低い透過率（＝より高い濃度）に切り替えられる。
【０１７２】
一方、測定結果が閾値ＢＴ未満の場合（ステップＳ１２においてＮＯの場合）、現在の可変ＮＤフィルター４０の透過率の設定が第２の透過率か否かが判定される（ステップＳ１４）。現在の可変ＮＤフィルター４０の透過率の設定が第２の透過率の場合、可変ＮＤフィルター４０の透過率が切り替えられる（ステップＳ１５）。この場合、第２の透過率から第１の透過率に切り替えられる。すなわち、より高い透過率（＝より低い濃度）に切り替えられる。
【０１７３】
この後、ビューファインダー３０の選択がＥＶＦに切り替えられたか否か、ビューモードの選択が背面モニター４に切り替えられたか否かが判定される（ステップＳ１６）。ＥＶＦ又は背面モニター４に切り替えられた場合は、処理を終了する。ＥＶＦ又は背面モニター４に切り替えられていない場合は、ステップＳ１１に戻り、上記処理を繰り返し実行する。
【０１７４】
図１４は、可変ＮＤフィルターの透過率の切り替えに連動したファインダーＬＣＤの光量制御の手順を示すフローチャートである。当該手順は、ファインダー内表示制御方法の一例である。
【０１７５】
まず、可変ＮＤフィルター４０の透過率の切り替えの有無が判定される（ステップＳ２１）。
【０１７６】
可変ＮＤフィルター４０の透過率が切り替えられると、経時的に変化してゆく可変ＮＤフィルター４０の透過率が透過率計測部９０で計測される（ステップＳ２２）。計測は間欠的に実施される。
【０１７７】
可変ＮＤフィルター４０の透過率が計測されると、その都度、ファインダーＬＣＤ表示制御部１１０ｂによってファインダーＬＣＤ３６の光量が制御される（ステップＳ２３）。ファインダーＬＣＤ表示制御部１１０ｂは、次のようにファインダーＬＣＤ３６の光量を制御する。すなわち、観察光学系３２を介して観察される被写体の光学像と、その光学像に重畳されるファインダーＬＣＤ３６の表示との光量比が、常に一定に維持されるように、透過率計測部９０で計測された透過率に合わせて、ファインダーＬＣＤ３６の光量を調整する。
【０１７８】
光量の調整が行われると、透過率の計測結果に基づいて、可変ＮＤフィルター４０の透過率が目標の透過率に到達したか否かが判定される（ステップＳ２４）。可変ＮＤフィルター４０の透過率が、目標の透過率に到達すると、処理は終了する。
【０１７９】
一方、可変ＮＤフィルター４０の透過率が、目標の透過率に到達していないと判定されると、ステップＳ２２に戻り、再度、透過率の計測が実施される。そして、その計測結果に基づいて、ファインダーＬＣＤ３６の光量が制御される。
【０１８０】
このように、可変ＮＤフィルター４０の透過率が切り替えられると、その透過率の変化がリアルタイムに計測され、その計測結果に基づいて、ファインダーＬＣＤ３６の光量がリアルタイムに制御される。これにより、可変ＮＤフィルター４０の透過率が切り替えられた場合であっても、観察光学系３２を介して観察される被写体の光学像と、その光学像に重畳されるファインダーＬＣＤ３６の表示との光量の比が常に一定に維持される。これにより、ファインダー内の表示の視認性を良好に維持できる。
【０１８１】
以上のように、本実施の形態のデジタルカメラ１によれば、ビューファインダー３０をＯＶＦとして使用する場合、被写体の明るさに応じて、ファインダーＬＣＤ３６の光量、及び、可変ＮＤフィルター４０の透過率が制御される。これにより、明るい環境から暗い環境まで常に良好な視認性を確保できる。
【０１８２】
また、可変ＮＤフィルター４０の透過率が切り替えられた場合には、透過率の変化に合わせて、ファインダーＬＣＤ３６の光量が調整される。これにより、可変ＮＤフィルター４０の透過率が切り替えられた場合であっても、ファインダー内の表示の視認性を良好に維持できる。
【０１８３】
《再生モード》
デジタルカメラ１は、再生モードに設定することにより、メモリーカード６８に記録された画像の再生が可能になる。
【０１８４】
再生モードに設定されると、最後に記録された画像が、メモリーカード６８から読み出され、背面モニター４に表示される。表示される画像は、操作部７６の操作に応じて、コマ送り、拡大、縮小等される。
【０１８５】
［変形例］
《透過率計測部の変形例》
〈投光部及び受光部を利用した透過率の計測の変形例〉
図１５は、投光部及び受光部を利用して可変ＮＤフィルターの透過率を計測する場合の透過率計測部の他の一例を示す図である。
【０１８６】
同図に示すように、本例の透過率計測部９５は、投光部９５ａ、受光部９５ｂ及び透過率演算部９５ｃを備える。
【０１８７】
投光部９５ａ及び受光部９５ｂは、可変ＮＤフィルター４０を挟んで互いに対向して配置される。投光部９５ａは、受光部９５ｂに向けて、規定光量の光を発光する。投光部９５ａから投光された光は、可変ＮＤフィルター４０を透過して、受光部９５ｂに受光される。受光部９５ｂは、その受光量を計測する。透過率演算部９５ｃは、受光部９５ｂから受光量の情報を取得し、可変ＮＤフィルター４０の透過率を算出する。
【０１８８】
このように、投光部及び受光部を利用して、可変ＮＤフィルター４０の透過率を計測する場合、可変ＮＤフィルター４０を挟んで投光部及び受光部を配置してもよい。
【０１８９】
なお、上記実施の形態のように、反射材を利用することにより、構成をコンパクト化できる。上記実施の形態では、反射材としてミラーを使用しているが、反射材の種類については、特に限定されない。たとえば、赤外線を利用して、透過率を計測する構成の場合、可変ＮＤフィルターの保持部の素材そのものを反射材として利用できる。
【０１９０】
また、投光部及び受光部を利用して透過率を計測する場合、定期的にキャリブレーションを実施することが好ましい。キャリブレーションは、たとえば、可変ＮＤフィルターを非透過状態及び全透過状態にして計測することにより行われる。キャリブレーションは、たとえば、デジタルカメラ１の電源がオフにされている間に実施する。
【０１９１】
〈テーブル又は関数を利用した透過率の計測〉
可変ＮＤフィルターの動作特性を事前に取得し、取得した動作特性に基づいて、可変ＮＤフィルターの透過率を特定する構成とすることもできる。
【０１９２】
具体的には、切り替えを開始してからの目標の透過率に切り替わるまでの経時的な透過率の変化の情報を事前に取得しておき、その情報に基づいて、透過率をリアルタイムに推定する。この場合、切り替えを開始してからの経過時間に基づいて、透過率を推定する。
【０１９３】
なお、可変ＮＤフィルターの動作特性は、使用環境の温度によって変化する。したがって、上記情報は、温度ごとに取得する。
【０１９４】
図１６は、テーブルを利用して可変ＮＤフィルターの透過率を計測する場合の透過率計測部の一例を示す図である。
【０１９５】
同図に示すように、本例の透過率計測部９１は、温度センサー９１ａと、計時部９１ｂと、透過率特定部９１ｃと、ルックアップテーブル（ＬＵＴ：Look Up Table）９１ｄと、を備える。
【０１９６】
温度センサー９１ａは、可変ＮＤフィルター４０の近傍に配置され、可変ＮＤフィルター４０の周囲の温度を計測する。温度センサー９１ａは、温度計測部の一例である。
【０１９７】
計時部９１ｂは、可変ＮＤフィルター４０の透過率が切り替えられた場合に切り替え開始からの経過時間を計測する。
【０１９８】
透過率特定部９１ｃは、温度センサー９１ａで計測される温度の情報、及び、計時部９１ｂで計測される経過時間との情報を取得し、ルックアップテーブル９１ｄを参照して、可変ＮＤフィルター４０の透過率を特定する。透過率特定部９１ｃの機能は、カメラ制御部１００によって実現される。すなわち、カメラ制御部１００が、所定のプログラムを実行することにより、透過率特定部９１ｃとして機能する。
【０１９９】
ルックアップテーブル９１ｄは、ＥＥＰＲＯＭ７４に格納される。ルックアップテーブル９１ｄには、温度及び経過時間に関連づけられて、透過率の情報が格納される。したがって、温度及び経過時間が特定されれば、ルックアップテーブル９１ｄから透過率が特定される。
【０２００】
以上のように構成される透過率計測部９１は、可変ＮＤフィルター４０の透過率が切り替えられると、透過率特定部９１ｃにおいて、温度の情報が温度センサー９１ａから取得される。また、切り替え開始からの経過時間の情報が、計時部９１ｂから取得される。透過率特定部９１ｃは、取得した温度及び経過時間の情報を元にルックアップテーブルを参照して可変ＮＤフィルター４０の透過率をリアルタイムに特定する。
【０２０１】
このように、可変ＮＤフィルター４０の透過率は、事前に求めた動作特性の情報を利用して求めることもできる。
【０２０２】
なお、本例では、テーブルを利用して、透過率を求める構成としているが、関数を利用して、透過率を求める構成とすることもできる。すなわち、可変ＮＤフィルター４０の動作特性を規定する関数を事前に求め、その関数を利用して、透過率を求める構成とする。関数は、温度及び経過時間をパラメータとして規定される。
【０２０３】
また、本例では、可変ＮＤフィルター４０の近傍に温度センサー９１ａを配置しているが、温度センサー９１ａの配置位置は、これに限定されるものではない。ただし、温度センサー９１ａは、可能な限り可変ＮＤフィルター４０の近傍に配置することが好ましい。これにより、透過率を高精度に検出できる。
【０２０４】
なお、上記実施の形態では、透過率の計測を間欠的に実施しているが、連続的に実施してもよい。
【０２０５】
また、上記実施の形態では、目的の透過率に到達すると、計測を終了しているが、目的の透過率に到達した後も継続して計測する構成としてもよい。この場合、計測の間隔を長くしてもよい。すなわち、目的の透過率に到達すると、間欠時間を長くして、計測を継続する。
【０２０６】
《可変ＮＤフィルターの変形例》
上記実施の形態では、電子的可変ＮＤフィルターとして、エレクトロクロミック素子で構成されるＮＤフィルターを使用しているが、本発明に適用可能な電子的可変ＮＤフィルターは、これに限定されるものではない。透過率（濃度）を電子制御できる構成のＮＤフィルターであればよい。したがって、たとえば、液晶で構成されるＮＤフィルターを使用することもできる。
【０２０７】
また、上記実施の形態では、可変ＮＤフィルター４０の透過率を２段階で切り替える構成としているが、更に細かい段数で切り替える構成としてもよい。たとえば、３段階で切り替える構成としてもよい。
【０２０８】
また、上記実施の形態では、可変ＮＤフィルター４０をファインダー窓部３０ａに配置しているが、可変ＮＤフィルター４０の配置位置は、これに限定されるものではない。ファインダー窓部３０ａからビームスプリッター３４に至るまでの光路中に配置されていればよい。
【０２０９】
《表示デバイスの変形例》
上記実施の形態では、表示デバイスとして、ＬＣＤを使用しているが、本発明に適用可能な表示デバイスは、これに限定されるものではない。この他、たとえば、有機エレクトロルミネッセンスディスプレイ（Organic ElectroLuminescence Display、Organic Light Emitting Diode Display、OLED Display）、蛍光表示管（ＶＦＤ：Vacuum Fluorescent Display）、プラズマディスプレイパネル（ＰＤＰ： Plasma Display Panel）、などの表示デバイス、特にフラットパネルディスプレイデバイスを使用できる。
【０２１０】
表示デバイス光量制御部は、使用する表示デバイスに合わせて、表示デバイスの表示の光量を制御する。たとえば、表示デバイスに有機エレクトロルミネッセンスディスプレイを使用する場合、各画素の発光量を制御して、光学像に重畳される表示デバイスの表示の光量を制御する。
【０２１１】
《測光部の変形例》
上記実施の形態では、イメージセンサー５２から出力された画像信号に基づいて、外光を測光する構成としているが、外光を測光する測光部の構成は、これに限定されるものではない。
【０２１２】
図１７は、測光部の他の一例を示す概略構成図である。
【０２１３】
同図に示すように、本例の測光部は、照度センサー１２０で構成される。照度センサー１２０は、観察光学系３２の光軸Ｌｏに直交し、かつ、ビームスプリッター３４の半透膜３４ａを通る光軸Ｌｓ上に配置される。照度センサー１２０には、ファインダー窓部３０ａから入射する外光の一部、及び、ファインダーＬＣＤ３６からの光の一部が入射する。ファインダー窓部３０ａから入射した外光は、可変ＮＤフィルター４０、対物レンズ３２ａを透過して、ビームスプリッター３４に入射する。ビームスプリッター３４に入射した外光は、一部が半透膜３４ａで反射されて、照度センサー１２０に入射する。ファインダーＬＣＤ３６からの光は、ビームスプリッター３４に入射し、一部が半透膜３４ａを透過して、照度センサー１２０に入射する。照度センサー１２０は、その受光部に入射した光の光量に基づいて、ビューファインダー３０の内部の照度を検出する。可変ＮＤフィルター透過率切替制御部は、照度センサー１２０の検出結果に基づいて、可変ＮＤフィルター４０の透過率を切り替える。
【０２１４】
なお、本例では、照度センサー１２０でファインダー内の照度を検出する構成としているが、たとえば、照度センサーをカメラボディーの正面に配置して外光の照度を検出する構成としてもよい。この場合、ファインダー窓部３０ａの近傍に備えることが好ましい。
【０２１５】
《重畳光学素子の変形例》
上記実施の形態では、重畳光学素子として、プリズム型のビームスプリッター３４を使用しているが、本発明に適用可能な重畳光学素子は、これに限定されるものではない。この他、たとえば、ハーフミラー等を重畳光学素子として使用することができる。
【０２１６】
《レフレックスファインダーを備えたカメラへの適用》
本発明は、レフレックスファインダーを備えたカメラにも適用できる。たとえば、一眼レフカメラにも適用できる。
【０２１７】
図１８は、本発明が適用された一眼レフカメラの一例を示す概略構成図である。
【０２１８】
一眼レフカメラ２００は、その光学ファインダーとして、レフレックスファインダー２１０を備える。
【０２１９】
図１８に示すように、撮像レンズ２０２を通過した光は、反射ミラー２１２で反射され、イメージセンサー２０４の撮像面と等価の結像面に置かれたフォーカシングスクリーン２１４上に結像する。ユーザーは、接眼レンズ２１６、ペンタゴナルダハプリズム２１８を介して、フォーカシングスクリーン２１４上に結像した被写体の光学像を観察する。
【０２２０】
本例の一眼レフカメラ２００には、更に、ファインダーＬＣＤ２２０と、そのファインダーＬＣＤ２２０の表示を接眼レンズ２１６から観察される像に重畳させるためのビームスプリッター２２２及びターゲットレンズ２２４が備えられる。
【０２２１】
ビームスプリッター２２２は、重畳光学素子の一例である。ビームスプリッター２２２は、その内部の斜面に半透膜２２２ａを有する。ビームスプリッター２２２は、ペンタゴナルダハプリズム２１８と接眼レンズ２１６との間に配置される。
【０２２２】
ファインダーＬＣＤ２２０は、表示デバイスの一例である。ファインダーＬＣＤ２２０は、接眼レンズ２１６の光軸と直交する光軸上に配置される。
【０２２３】
ターゲットレンズ２２４は、ファインダーＬＣＤ２２０とビームスプリッター２２２の間の光路に配置され、ファインダーＬＣＤ２２０からの光を接眼レンズ２１６に導く。
【０２２４】
ファインダーＬＣＤ２２０に画像を表示すると、ファインダーＬＣＤ２２０からの光が、ターゲットレンズ２２４を介してビームスプリッター２２２に入射する。ビームスプリッター２２２に入射した光は、半透膜２２２ａで反射され、接眼レンズ２１６を介してアイポイントＥＰに入射する。
【０２２５】
これにより、フォーカシングスクリーン上の像にファインダーＬＣＤ２２０の表示が重畳されて観察される。
【０２２６】
本例の一眼レフカメラ２００には、更に、ペンタゴナルダハプリズム２１８とビームスプリッター２２２との間に可変ＮＤフィルター２２６が配置される。可変ＮＤフィルター２２６は、電子的可変ＮＤフィルターの一例であり、透過率を電子制御できるＮＤフィルターで構成される。可変ＮＤフィルター２２６は、その透過率（濃度）を変化させることにより、ペンタゴナルダハプリズム２１８からビームスプリッター２２２に入射する光の光量を調整する。可変ＮＤフィルター２２６は、図示しない透過率計測部によって、その透過率が計測される。
【０２２７】
上記実施の形態のデジタルカメラ１と同様に、可変ＮＤフィルター２２６は、外光の測光結果に基づいて、その透過率が切り替えられる。
【０２２８】
また、可変ＮＤフィルター２２６の透過率が切り替えられた場合には、その透過率が、透過率計測部によってリアルタイムに計測される。そして、その計測結果に基づいて、ファインダーＬＣＤ２２０の光量がリアルタイムに制御される。
【０２２９】
このように、本発明はレフレックスファインダーを備えたカメラにも適用できる。
【０２３０】
《ビューファインダーの変形例》
上記実施の形態では、ＥＶＦとしても使用できるように構成しているが、ＥＶＦとしての機能は省略してもよい。この場合、ファインダーシャッターを省略できる。
【０２３１】
また、上記実施の形態では、ファインダーシャッターをいわゆるメカシャッターで構成しているが、液晶シャッター等を使用することもできる。
【０２３２】
また、上記実施の形態では、観察光学系３２を逆ガリレオ式ファインダーの観察光学系で構成しているが、ビューファインダーの観察光学系の構成は、これに限定されるものではない。撮像レンズとは、独立した光学系で構成されていればよい。
【０２３３】
《撮像装置の変形例》
上記実施の形態では、本発明をレンズ一体型のデジタルカメラに適用した場合を例に説明したが、本発明の適用は、これに限定されるものではない。レンズ交換式のデジタルカメラにも同様に適用できる。
【０２３４】
《その他の変形例》
上記実施の形態では、カメラ制御部１００をマイクロコンピュータで構成しているが、これらの機能を実現するためのハードウェア的な構成は、これに限定されるものではない。各種のプロセッサで構成できる。各種のプロセッサには、ソフトウェア（プログラム）を実行して各種の処理を行う処理部として機能する汎用的なプロセッサであるＣＰＵ、ＦＰＧＡ（ＦＰＧＡ：Field Programmable Gate Array）などの製造後に回路構成を変更可能なプロセッサであるＰＬＤ（ＰＬＤ：Programmable Logic Device）、ＡＳＩＣ（ＡＳＩＣ：Application Specific Integrated Circuit）などの特定の処理を実行させるために専用に設計された回路構成を有するプロセッサである専用電気回路などが含まれる。
【０２３５】
一つの処理部は、これら各種のプロセッサのうちの一つで構成されていてもよいし、同種又は異種の二つ以上のプロセッサで構成されていてもよい。たとえば、複数のＦＰＧＡで構成されてもよいし、ＣＰＵ及びＦＰＧＡの組み合わせで構成されてもよい。
【０２３６】
また、複数の処理部を一つのプロセッサで構成してもよい。複数の処理部を一つのプロセッサで構成する例としては、第１に、クライアント、サーバなどのコンピュータに代表されるように、一つ以上のＣＰＵとソフトウェアとの組合せで一つのプロセッサを構成し、このプロセッサが複数の処理部として機能する形態がある。第２に、システムオンチップ（ＳｏＣ：System On Chip）などに代表されるように、複数の処理部を含むシステム全体の機能を一つのＩＣチップ（ＩＣ：Integrated Circuit）で実現するプロセッサを使用する形態がある。このように、各種の処理部は、ハードウェア的な構造として、上記各種のプロセッサを一つ以上用いて構成される。
【０２３７】
更に、これらの各種のプロセッサのハードウェア的な構造は、より具体的には、半導体素子などの回路素子を組み合わせた電気回路である。
【符号の説明】
【０２３８】
１  デジタルカメラ
２  カメラボディー
２ａ  外装体
３  撮像レンズ
３ｆ  フォーカスレンズ
３ｉ  絞り
４  背面モニター
１１  電源レバー
１２  シャッターボタン
１３  露出補正ダイヤル
１４  シャッタースピードダイヤル
１５  ファインダー切替レバー
１６  コマンドダイヤル
１７  ビューモードボタン
１８  再生ボタン
１９  消去ボタン
２０  ファンクションボタン
２１  ＡＥ／ＡＦロックボタン
２２  セレクターボタン
２３  ＯＫボタン
２４  メニューボタン
２５  ＤＩＳＰ／ＢＡＣＫボタン
３０  ビューファインダー
３０ａ  ファインダー窓部
３０ｂ  ファインダー接眼部
３２  観察光学系
３２ａ  対物レンズ
３２ｂ  接眼レンズ
３４  ビームスプリッター
３４ａ  半透膜
３６  ファインダーＬＣＤ
３８  ターゲットレンズ
４０  可変ＮＤフィルター
４２  ファインダーシャッター
４２ａ  ファインダーシャッター地板
４２ｂ  ファインダーシャッター駆動部
４４  カバーガラス
５０  レンズ駆動部
５０ｆ  フォーカスレンズ駆動部
５０ｉ  絞り駆動部
５２  イメージセンサー
５４  イメージセンサー駆動部
５６  アナログ信号処理部
５８  アナログデジタル変換器
６０  デジタル信号処理部
６２  ＡＦ検出部
６４  測光部
６６  メモリーカードインターフェース部
６８  メモリーカード
７０  背面モニタードライバー
７２  通信インターフェース部
７４  ＥＥＰＲＯＭ
７６  操作部
７８  センサー部
７８ａ  三軸加速度センサー
７８ｂ  三軸角速度センサー
７８ｃ  三軸地磁気センサー
８２  ファインダーＬＣＤドライバー
８４  可変ＮＤフィルタードライバー
９０  透過率計測部
９１  透過率計測部
９１ａ  温度センサー
９１ｂ  計時部
９１ｃ  透過率特定部
９１ｄ  ルックアップテーブル
９２  反射材
９４  透過率計測ユニット
９４ａ  投光部
９４ｂ  受光部
９４ｃ  透過率演算部
９５  透過率計測部
９５ａ  投光部
９５ｂ  受光部
９５ｃ  透過率演算部
９６  保持部
９６ａ  止め板
９６ｂ  反射材取付部
９８  透過率計測ユニット取付部
１００  カメラ制御部
１００ａ  ＡＦ制御部
１００ｂ  ＡＥ制御部
１００ｃ  記録制御部
１００ｄ  通信制御部
１００ｅ  背面モニター表示制御部
１１０  ビューファインダー制御部
１１０ａ  ファインダーシャッター制御部
１１０ｂ  ファインダーＬＣＤ表示制御部
１１０ｃ  透過率計測制御部
１１０ｄ  可変ＮＤフィルター透過率切替制御部
１２０  照度センサー
２００  一眼レフカメラ
２０２  撮像レンズ
２０４  イメージセンサー
２１０  レフレックスファインダー
２１２  反射ミラー
２１４  フォーカシングスクリーン
２１６  接眼レンズ
２１８  ペンタゴナルダハプリズム
２２０  ファインダーＬＣＤ
２２２  ビームスプリッター
２２２ａ  半透膜
２２４  ターゲットレンズ
２２６  可変ＮＤフィルター
ＥＰ  アイポイント
Ｆ１  視野枠
Ｆ２  ＡＦ枠
Ｉ１  撮像情報
Ｌｄ  光軸
Ｌｏ  観察光学系の光軸
Ｌｓ  光軸
Ｚ  光軸
τ１  第１の透過率
τ２  第２の透過率
Ｓ１１〜Ｓ１６  可変ＮＤフィルターの透過率の切り替えの手順
Ｓ２１〜Ｓ２２  可変ＮＤフィルターの透過率の切り替えに連動したファインダーＬＣＤの光量制御の手順
【図１】
2019087929.tif 000003
【図２】
2019087929.tif 000004
【図３】
2019087929.tif 000005
【図４】
2019087929.tif 000006
【図５】
2019087929.tif 000007
【図６】
2019087929.tif 000008
【図７】
2019087929.tif 000009
【図８】
2019087929.tif 000010
【図９】
2019087929.tif 000011
【図１０】
2019087929.tif 000012
【図１１】
2019087929.tif 000013
【図１２】
2019087929.tif 000014
【図１３】
2019087929.tif 000015
【図１４】
2019087929.tif 000016
【図１５】
2019087929.tif 000017
【図１６】
2019087929.tif 000018
【図１７】
2019087929.tif 000019
【図１８】
2019087929.tif 000020
【手続補正書】
【提出日】令和2年5月28日(2020.5.28)
【手続補正１】
【補正対象書類名】特許請求の範囲
【補正対象項目名】請求項１１
【補正方法】変更
【補正の内容】
【請求項１１】
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する電子的可変ＮＤフィルターと、を備えた撮像装置のファインダー内表示制御プログラムであって、
前記電子的可変ＮＤフィルターの透過率が切り替えられた場合に、経時的に変化してゆく前記電子的可変ＮＤフィルターの透過率の計測結果の情報を取得する機能と、
透過率の計測結果に基づいて、前記表示デバイスの光量を制御し、前記光学ファインダーで観察される前記被写体の前記光学像と、前記光学像に重畳される前記表示デバイスの表示との光量比を一定に維持する機能と、
をコンピュータに実現させる撮像装置のファインダー内表示制御プログラム。
【手続補正２】
【補正対象書類名】特許請求の範囲
【補正対象項目名】請求項１２
【補正方法】変更
【補正の内容】
【請求項１２】
非一時的かつコンピュータ読取可能な記録媒体であって、前記記録媒体に格納された指令がコンピュータによって読み取られた場合に、
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する電子的可変ＮＤフィルターと、を備えた撮像装置のファインダー内表示制御機能であって、
前記電子的可変ＮＤフィルターの透過率が切り替えられた場合に、経時的に変化してゆく前記電子的可変ＮＤフィルターの透過率の計測結果の情報を取得する機能と、
透過率の計測結果に基づいて、前記表示デバイスの光量を制御し、前記光学ファインダーで観察される前記被写体の前記光学像と、前記光学像に重畳される前記表示デバイスの表示との光量比を一定に維持する機能と、
を含むファインダー内表示制御機能をコンピュータに実現させる記録媒体。
【手続補正３】
【補正対象書類名】明細書
【補正対象項目名】００２９
【補正方法】変更
【補正の内容】
【００２９】
（１１）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する電子的可変ＮＤフィルターと、を備えた撮像装置のファインダー内表示制御プログラムであって、電子的可変ＮＤフィルターの透過率が切り替えられた場合に、経時的に変化してゆく電子的可変ＮＤフィルターの透過率の計測結果の情報を取得する機能と、透過率の計測結果に基づいて、表示デバイスの光量を制御し、光学ファインダーで観察される被写体の光学像と、光学像に重畳される表示デバイスの表示との光量比を一定に維持する機能と、をコンピュータに実現させる撮像装置のファインダー内表示制御プログラム。
【国際調査報告】
2019087929.tif 000021
2019087929.tif 000022
2019087929.tif 000023